(57)【要約】      （修正有）【課題】任意の白熱電球にローソク様の揺らぎを発現させ、装飾、広告用にも利用できるようにした白熱電球揺らぎ装置を提供する。【解決手段】商用電源に於いて、複数の積分回路とネオン放電管でサイリスターをトリガーし、その負荷である外部に接続される任意の白熱電球にローソク様の揺らぎを発現させている。ネオン放電管の放電開始電圧と放電終止電圧の差を利用することにより長い導通角を得、揺らぎの繰り返し間隔や揺らぎの持続時間に変化を与え、より自然感を演出している。【選択図】図１
0003145309.tif 000002
【実用新案登録請求の範囲】
【請求項１】
商用電源に於いて、複数の積分回路とネオン放電管を用いてサイリスターをトリガーし、本考案の外部に接続される白熱電球にローソク様の揺らぎを発現させる事を特徴とする白熱電球揺らぎ装置。
【請求項２】
前記「請求項１」に於いて長い導通角全てを生かせるヒステリシス軽減回路。
【請求項３】
前記「請求項１」に於いて放電を途中で遮断するヒステリシス軽減回路
【考案の詳細な説明】
【技術分野】
【０００１】  本考案は、商用電源を用いて白熱電球にローソク様の揺らぎを発現させる装置に関するものである。
【背景技術】
【０００２】  電気又は電子を用いてローソク様の揺らぎを求めるには、ＬＥＤを複数個まとめて炎の形状をした覆いに入れ、その下部に制御部を組み込んだ電池式の物や、数少ない交流式の物、発光部と制御部を分離した物もあるが全て発光部と制御部はそれ専用であり、しかも目的は仏壇の灯明用である。従来より灯明以外の、行灯や盆提灯、更には瀟洒な電気スタンドや飲食店店頭の提灯等の白熱電球は定常光の点きっぱなしであった。
【考案の開示】
【考案が解決しようとする課題】
【０００３】  従来より白熱電球照明はその殆どが常時点灯のままである。又ＬＥＤを用いて揺らぎを発生させる場合も、特別な発光部と、一体となった専用の装置でしか使用できず、基台も含めて形状は仏壇の灯明である。その為他の器具には当然対応していない。発光部と制御部が分離している物もあるがそれぞれ専用の為、制御部のみの他への流用は出来ない。本考案は既存の白熱電球を発光部とする為、コネクターを用いてその電源線に介するだけでローソク様の揺らぎを得られ、従来の欠点を解消すべく考案された物である。
【課題を解決するための手段】
【０００４】  本考案は商用電源を用い、位相角や導通角にそれぞれ差を設けた複数の積分回路とネオン放電管を用いてサイリスターをトリガーし、その負荷である本考案の外部に接続される任意の白熱電球に、ローソク様の揺らぎを発現させて問題点を解決している。
【考案の効果】
【０００５】  本考案の利用範囲は、既に各家庭で使用している灯明は勿論、盆提灯、好みの電気スタンドやステンドグラス製の電気スタンド、行灯、又庭の灯籠や飲食店店頭の提灯等多岐にわたり、専用の器具や制御装置、専用の電球を必要とせず、白熱電球であれば形状や大きさを問わずローソク様の揺らぎを得られ、又外して他の器具に使い回す事や、増設タップを用いて複数灯接続する事も可能である。
【考案を実施するための最良の形態】
【０００６】  商用電源を用いて、それぞれ時定数の違う複数の積分回路を組み合わせ、ネオン放電管でサイリスターをトリガーする。ネオン放電管の放電開始電圧と放電終止電圧の差を利用することにより長い導通角を得、揺らぎの繰り返し間隔や揺らぎの持続時間に変化を与え、より自然感を演出している。
【実施例】
【０００７】  「図１」に示す如く積分回路（１）は、その時定数からなる周期で放電し、ネオン放電管（ＮＥ１）を通してサイリスター（ＳＣＲ）をトリガーすると、ローソクが静かに点灯している時の様な小さく早い周期の揺らぎを発現する。積分回路（２）の時定数によって決まる放電間隔のたびにネオン放電管（ＮＥ２）を通してトランジスター（ＴＲ）を導通し、コンデンサー（Ｃ）が積分回路（１）のコンデンサーに並列に接続されて積分回路（１）の時定数が大きくなり、結果揺らぎは一時的に乱れてローソクの対流による乱れの様相を呈する。積分回路（３）は、時定数を除いて積分回路（２）と同じであるが、コンデンサー容量に違いがあり、導通角の違いで揺らぎの持続時間が違う。積分回路（４）は放電を途中で遮断しローソクが極短時間、明るく燃え上がる様を再現している。負の半波はダイオード（Ｄ）を通して無調整で戻され、サイリスター（ＳＣＲ）非導通時の明るさを保持している。本装置を筐体に納め、入力側はＡＣプラグを用いて家庭用交流１００Ｖに、出力側はコネクターで白熱電球の器具と接続する。【０００８】  「図２」は積分回路（２）、積分回路（３）の長い導通角全てを有効にする為のヒステリシス軽減回路である。積分回路（２）、積分回路（３）、積分回路（４）は主回路のサイリスター（ＳＣＲ）とは分離している事と、長い位相角、導通角では通常のヒステリシス軽減回路は使用できない。抵抗（Ｒ２）から供給される電圧にてコンデンサー（Ｃ２）が充電され、所定の電圧になってネオン放電管（ＮＥ２）が放電すると、（イ）部に電圧が発生しトランジスター（ＴＲ２）が導通する。するとコンデンサー（Ｃ６）の前回残っていた、電荷はトランジスター（ＴＲ２）、ダイオード（Ｄ１０）のループで放電される。ネオン放電管（ＮＥ２）が放電を継続し、（イ）部に電圧が存在する間サイリスター（ＳＣＲ２）は遮断状態のままである。コンデンサー（Ｃ２）の電圧がネオン放電管の放電終止電圧以下に下がると、（イ）部の電圧は消滅しトランジスター（ＴＲ２）は遮断される。すると抵抗（Ｒ６）、抵抗（Ｒ８）で分圧された電圧がコンデンサー（Ｃ６）を通ってサイリスター（ＳＣＲ２）をトリガーして導通し、コンデンサー（Ｃ２）の残っていた電荷は抵抗（Ｒ９）を通して放電される。コンデンサー（Ｃ２）の電荷が無くなり、抵抗（Ｒ２）で供給されている交流半波の電圧が零点までくるとサイリスター（ＳＣＲ２）は自ら遮断され、コンデンサー（Ｃ２）への次の充電が開始される。以上の如くこのヒステリシス軽減回路は、放電が終了しなければ動作しない。尚、コンデンサー（Ｃ６）には電圧がかかっているが、電荷が溜まったままなので電流は流れず、コンデンサー（Ｃ２）が次に放電して終了するまでサイリスター（ＳＣＲ２）を再度トリガーする事はない。【０００９】  「図３」は積分回路（４）用のヒステリシス軽減回路である。前出のヒステリシス軽減回路と同じくコンデンサー（Ｃ４）の放電が開始して（ロ）部の電圧にてトランジスター（ＴＲ４）が導通すると、抵抗（Ｒ１５）によって供給されている電圧はトランジスター（ＴＲ４）のエミッターからコンデンサー（Ｃ９）に充電され、所定の電圧になるとサイリスター（ＳＣＲ４）はトリガーされて導通状態になるが、トリガー電圧に達するまでには時間差が生じる。この時間差がコンデンサー（Ｃ４）及びネオン放電管（ＮＥ４）の放電継続時間で、予め設定された時間後には強制的にコンデンサー（Ｃ４）の電荷を放電し導通角を遮断する。コンデンサー（Ｃ９）の電荷は抵抗（Ｒ１７）で放電される。積分回路（２）、積分回路（３）、積分回路（４）の各時定数は、それぞれ相関的に差を付ける事により、時間の経過と共に順序や間隔が一定でなくなり、一見不定期のようなより自然な様相を呈する。
【図面の簡単な説明】
【００１１】
【図１】本考案の基本図である。
【図２】積分回路（２）、積分回路（３）用ヒステリシス軽減回路である。
【図３】積分回路（４）用ヒステリシス軽減回路である。
【図１】
0003145309.tif 000003
【図２】
0003145309.tif 000004
【図３】
0003145309.tif 000005
【手続補正書】
【提出日】平成20年3月27日(2008.3.27)
【手続補正１】
【補正対象書類名】実用新案登録請求の範囲
【補正対象項目名】全文
【補正方法】変更
【補正の内容】
【実用新案登録請求の範囲】
【請求項１】
時定数の違う積分回路（１、２、３、４）と、それぞれの積分回路に接続されたネオン放電管（ＮＥ１、２、３、４）によってサイリスターをトリガーし、ＡＣコード（１）によって導入された商用電源の位相角を制御する電子回路基板（４）を筐体（３）に収容し、筐体の外部に引き出された出力コード（２）によって本考案の負荷として接続される白熱電球にローソク様の揺らぎを発現させる、既成の白熱電球照明器具の電源線に介して使用される事を特徴とする、白熱電球揺らぎ装置。
【請求項２】
請求項１の基本回路に於いて発生するヒステリシス現象を、「積分回路（２）」に「ヒステリシス軽減回路（１）」を、「積分回路（３）」に「ヒステリシス軽減回路（２）」を、「積分回路（４）」に「ヒステリシス軽減回路（３）」をそれぞれ付加してヒステリシス現象の軽減を図った、請求項１記載の白熱電球揺らぎ装置の実用回路。
【手続補正３】
【補正対象書類名】明細書
【補正の内容】
0003145309.tif 000006
0003145309.tif 000007
0003145309.tif 000008
0003145309.tif 000009
0003145309.tif 000010
【手続補正書】
【提出日】平成20年7月3日(2008.7.3)
【手続補正１】
【補正対象書類名】実用新案登録請求の範囲
【補正対象項目名】全文
【補正方法】変更
【補正の内容】
【実用新案登録請求の範囲】
【請求項１】
ヒステリシス現象の軽減を図った、時定数の違う複数の積分回路と、それぞれの積分回路に接続されたネオン放電管によってサイリスターをトリガーする構成からなる電子回路基板を備え、ＡＣコードによって導入された商用電源の位相角を制御する前記電子回路基板を筐体に収容し、筐体の外部に引き出された出力コードによって本考案の負荷として接続される白熱電球にローソク様の揺らぎを発現させる、既成の白熱電球照明器具の電源線に介して使用されることを特徴とする白熱電球揺らぎ装置。
【手続補正２】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【技術分野】
【０００１】  本考案は、商用電源を用いて白熱電球にローソク様の揺らぎを発現させる装置に関するものである。
【背景技術】
【０００２】  電気又は電子を用いてローソク様の揺らぎを求めるには、ＬＥＤを複数個まとめて炎の形状をした覆いに入れ、その下部に制御部を組み込んだ電池式の物や、数少ない交流式の物、発光部と制御部を分離した物もあるが全て発光部と制御部はそれ専用であり、しかも目的は仏壇の灯明用である。従来より灯明以外の、行灯や盆提灯、更には瀟洒な電気スタンドや飲食店店頭の提灯等の白熱電球は定常光の点きっぱなしであった。
【考案の開示】
【考案が解決しようとする課題】
【０００３】  従来より白熱電球照明はその殆どが常時点灯のままである。又ＬＥＤを用いて揺らぎを発生させる場合も、特別な発光部と、一体となった専用の装置でしか使用できず、基台も含めて形状は仏壇の灯明である。その為他の器具には当然対応していない。発光部と制御部が分離している物もあるがそれぞれ専用の為、制御部のみの他への流用は出来ない。本考案は既存の白熱電球を発光部とする為、コネクターを用いてその電源線に介するだけでローソク様の揺らぎを得られ、従来の欠点を解消すべく考案された物である。
【課題を解決するための手段】
【０００４】  本考案は商用電源を用い、位相角や導通角にそれぞれ差を設けた複数の積分回路とネオン放電管を用いてサイリスターをトリガーし、その負荷である本考案の外部に接続される任意の白熱電球に、ローソク様の揺らぎを発現させて問題点を解決している。
【考案の効果】
【０００５】  本考案の利用範囲は、既に各家庭で使用している灯明は勿論、盆提灯、好みの電気スタンドやステンドグラス製の電気スタンド、行灯、又庭の灯籠や飲食店店頭の提灯等多岐にわたり、専用の器具や制御装置、専用の電球を必要とせず、白熱電球であれば形状や大きさを問わずローソク様の揺らぎを得られ、又外して他の器具に使い回す事や、増設タップを用いて複数灯接続する事も可能である。
【考案を実施するための最良の形態】
【０００６】  商用電源を用いて、それぞれ時定数の違う複数の積分回路を組み合わせ、ネオン放電管でサイリスターをトリガーする。ネオン放電管の放電開始電圧と放電終止電圧の差を利用することにより長い導通角を得、揺らぎの繰り返し間隔や揺らぎの持続時間に変化を与え、より自然感を演出している。
【実施例】
【０００７】  図１に示す如く積分回路（１）は、その時定数からなる周期で放電し、ネオン放電管（ＮＥ１）を通してサイリスター（ＳＣＲ１）をトリガーすると、ローソクが静かに点灯している時の様な小さく早い周期の揺らぎを発現する。積分回路（２）の時定数によって決まる放電間隔のたびにネオン放電管（ＮＥ２）を通してトランジスター（ＴＲ１）を導通し、コンデンサー（Ｃ５）が積分回路（１）のコンデンサー（Ｃ１）に並列に接続されて積分回路（１）の時定数が大きくなり、結果揺らぎは一時的に乱れてローソクの対流による乱れの様相を呈する。積分回路（３）は、時定数を除いて積分回路（２）と同じであるが、コンデンサー容量に違いがあり、導通角の違いで揺らぎの持続時間が違う。積分回路（４）の放電は直接サイリスターをトリガーし、ローソクが極短時間、明るく燃え上がる様を再現している。位相角の制御は交流正の半波のみであるが負の半波はダイオード（Ｄ５）を通して無調整で戻され、サイリスター（ＳＣＲ１）非導通時の明るさを保持している。【０００８】  これ等の積分回路にはヒステリシス現象が発生するが、各積分回路にその対策としてヒステリシス軽減回路を付している。積分回路（２）、積分回路（３）、積分回路（４）は主回路のサイリスター（ＳＣＲ１）とは分離している事と、長い位相角、導通角では通常のヒステリシス軽減回路は使用できない。積分回路（２）及び、それに付加されたヒステリシス軽減回路（５）に付いて説明する。抵抗（Ｒ２）から供給される電圧にてコンデンサー（Ｃ２）が充電され、所定の電圧になってネオン放電管（ＮＥ２）が放電すると、（イ）部に電圧が発生しトランジスター（ＴＲ２）が導通する。するとコンデンサー（Ｃ６）の前回残っていた電荷は、トランジスター（ＴＲ２）、ダイオード（Ｄ１０）のループで放電される。ネオン放電管（ＮＥ２）が放電を継続し、（イ）部に電圧が存在する間サイリスター（ＳＣＲ２）は遮断状態のままである。コンデンサー（Ｃ２）の電圧がネオン放電管の放電終止電圧以下に下がると、（イ）部の電圧は消滅しトランジスター（ＴＲ２）は遮断される。すると抵抗（Ｒ６）、抵抗（Ｒ８）で分圧された電圧がコンデンサー（Ｃ６）を通ってサイリスター（ＳＣＲ２）をトリガーして導通し、コンデンサー（Ｃ２）の残っていた電荷は抵抗（Ｒ９）を通して放電される。コンデンサー（Ｃ２）の電荷が無くなり、抵抗（Ｒ２）で供給されている交流半波の電圧が零点までくるとサイリスター（ＳＣＲ２）は自ら遮断され、コンデンサー（Ｃ２）への次の充電が開始される。以上の如くこのヒステリシス軽減回路は、放電が終了しなければ動作しない。尚、コンデンサー（Ｃ６）には電圧がかかっているが、電荷が溜まったままなので電流は流れず、コンデンサー（Ｃ２）が次に放電して終了するまでサイリスター（ＳＣＲ２）を再度トリガーする事はない。積分回路（１）のヒステリシス現象は、実用上無視できるので省略している。【０００９】  積分回路（３）に付加されたヒステリシス軽減回路（６）、積分回路（４）に付加されたヒステリシス軽減回路（７）共に、時定数の違い以外には全く同様の動作をする。積分回路（２）、積分回路（３）、積分回路（４）の各時定数は、それぞれ相関的に差を付ける事により、時間の経過と共に順序や間隔が一定でなくなり、一見不定期のようなより自然な様相を呈する。【００１０】  以上の如き機能を有した図１の回路図に示す各部品を、電子基板に実装・配線して電子回路基板（１１）と為し、ＡＣコード（８）、出力コード（９）を接続して筐体（１０）に納め、図２の如き構成とする。ＡＣコード（８）は家庭用１００Ｖに、出力コード（９）は白熱電球器具と接続して使用する。
【図面の簡単な説明】
【００１１】
【図１】本考案の回路図である。
【図２】本考案の外観及び構成図である。
【符号の説明】
【００１２】  １        積分回路  ２        積分回路  ３        積分回路  ４        積分回路  ５        ヒステリシス軽減回路  ６        ヒステリシス軽減回路  ７        ヒステリシス軽減回路  ８        ＡＣコード  ９        出力コード１０        筐体１１        電子回路基板
【手続補正３】
【補正対象書類名】図面
【補正対象項目名】全図
【補正方法】変更
【補正の内容】
【図１】
0003145309.tif 000011
【図２】
0003145309.tif 000012
【手続補正４】
【補正対象書類名】手続補正書
【補正対象項目名】手続補正４
【補正方法】削除
【補正の内容】